(57)【要約】【課題】  個々の高吸水性タイルの放湿性を向上させることができ、さらに、高吸水性タイルの裏面と支持板の底板との間の洗浄、及び、個々の高吸水性タイルの取り換えが容易な高吸水性マットを提供する。【解決手段】  珪藻土を含んで形成される高吸水性タイル２と、該高吸水性タイル２を複数枚並べて支持し得る支持盤３と、を備え、前記高吸水性タイル２が前記支持盤３の底板６上に固着され、該底板６に通気孔９が形成される。前記底板６を格子状に形成し、格子の隙間を前記通気孔９とすると好適である。また、前記高吸水性タイル２を前記底板６に対して着脱可能とすると一層好適である。【選択図】    図３
2019146886.tif 000002
【特許請求の範囲】
【請求項１】
珪藻土を含んで形成される高吸水性タイルと、該高吸水性タイルを複数枚並べて支持し得る支持盤と、を備え、前記高吸水性タイルが前記支持盤の底板上に固着され、該底板に通気孔が形成される、高吸水性マット。
【請求項２】
前記底板が格子状に形成され、格子の隙間が前記通気孔とされる、請求項１に記載の高吸水性マット。
【請求項３】
前記高吸水性タイルが前記底板に対して着脱可能とされている、請求項１又は２に記載の高吸水性マット。
【請求項４】
前記高吸水性タイルを前記底板に対して取り外し可能に固着するための固定具を備える、請求項１又は２に記載の高吸水性マット。
【請求項５】
前記固定具が前記高吸水性タイルに接触する頭部を有し、前記高吸水性タイルには前記頭部を受け入れ可能な頭部嵌合凹部が形成される、請求項４に記載の高吸水性マット。
【請求項６】
前記支持盤の外周枠に隣接する高吸水性タイルの隅部が前記外周枠に形成されるタイル保持片によって保持されるとともに、縦横に二枚ずつ並んだ四枚の高吸水性タイルの集合体の中央部に形成される集合隅部が前記固定具によって固定される、請求項４又は５に記載の高吸水性マット。
【請求項７】
前記固定具が、前記底板に形成されるピン挿通孔に圧入可能な弾性脚部を有し、該弾性脚部の弾性を利用して前記底板に着脱可能な固定ピンである、請求項４，５又は６に記載の高吸水性マット。
【請求項８】
隣り合う高吸水性タイル同士の間に隙間が形成される、請求項１乃至７のいずれか一項に記載の高吸水性マット。
【請求項９】
前記支持盤の予め定められたタイル収容位置に前記高吸水性タイルを配置するための位置決め部材を有する、請求項１乃至８のいずれか一項に記載の高吸水性マット。
【発明の詳細な説明】
【技術分野】
【０００１】
本発明は、風呂場その他の水回りの床面に配置して使用される高吸水性マットに関するものである。
【背景技術】
【０００２】
前記の如き高吸水性マットの一例として、少なくとも珪藻土を含む調湿材を用い、かつ平面矩形状に形成された高吸水性タイルと、該高吸水性タイルを複数枚並べて支持し得る支持盤と、を備える足拭きマットが知られている（特許文献１参照）。この足拭きマットによれば、特許文献１の００１１段落に記載されているように、珪藻土を含む高吸水性タイルが風呂場などにおける水分を充分に吸水でき、該高吸水性タイルの表面が常に乾いた状態を維持して使用者の感触を優れたものとすることができる、とされている。また、高吸水性タイルが吸放湿性を備えるため、好天時に天日干しを行い、或いは風に当てるなどにより高吸水性タイルの内部の水分を放出させることにより半永久的に使用でき、しかもカビ、雑菌などの発生の恐れなく衛生状態を継続しうる、とされている。
【先行技術文献】
【特許文献】
【０００３】
【特許文献１】特開２００６−３４７９７号公報
【発明の概要】
【発明が解決しようとする課題】
【０００４】
しかしながら、前記従来の高吸水性マットにおいては、前記特許文献１の０００９段落に記載されているように、各高吸水性タイルが前記支持盤を構成する底板の上に固着される。具体的な固着方法については特許文献１に明示はされていないが、特許文献１の図２及び図３を参照すると、高吸水性タイルを底板に対して接着剤を用いて固着すると考えるのが普通である。
【０００５】
しかも、前記特許文献１に開示されている底板は、特許文献１の図２から明らかなように、全面が閉じた板体である。そして、各高吸水性タイルの底面の全体が底板に密着し、この底板によって各高吸水性タイルの底面の全体が閉じられている。このため、各高吸水性タイルの底面からは水分放出がなされず、高吸水性タイルの放湿効率が悪い。よって、特許文献１の高吸水性マットは、天日に当てたとしても乾き難く、高吸水性タイルの底面と支持盤の底板との間にカビや雑菌が繁殖し易いという問題がある。
【０００６】
また、高吸水性マットが汚れた場合には、高吸水性マットの全体を洗剤で洗浄したいところであるが、前記従来の高吸水性マットは高吸水性タイルが支持盤の底板に接着されているので、高吸水性タイルの裏面と支持盤の底板との間は洗浄することができないという問題もある。
【０００７】
さらに、前記従来の高吸水性マットにおいては、いずれかの高吸水性タイルが割れた場合に、割れた高吸水性タイルのみを新しいものと取り換えることが困難であり、高吸水性マットの全体を取り換えざるを得ないという問題もある。
【０００８】
本発明は前記のような事情に鑑みてなされたもので、個々の高吸水性タイルの放湿性を向上させることができる高吸水性マットを提供しようとするものである。
【０００９】
本発明はまた、高吸水性タイルの裏面と支持板の底板との間も洗浄することができる高吸水性マットを提供しようとするものである。
【００１０】
さらに、本発明は、個々の高吸水性タイルの取り換えが容易な高吸水性マットを提供しようとするものである。
【課題を解決するための手段】
【００１１】
前記課題を解決するため、請求項１の本発明に係る高吸水性マットは、珪藻土を含んで形成される高吸水性タイルと、該高吸水性タイルを複数枚並べて支持し得る支持盤と、を備え、前記高吸水性タイルが前記支持盤の底板上に固着され、該底板に通気孔が形成されることを特徴とする。
【００１２】
請求項１の本発明によれば、高吸水性タイルに吸収された水分が前記通気孔を介して高吸水性タイルの底面からも放出可能となる。よって、高吸水性タイルの放湿性が向上し、高吸水性マットを天日干し等することによって、高吸水性タイルの底面と支持盤の底板との間におけるカビや雑菌の繁殖を抑えることができる。なお、通気孔の態様はどのようなものであってもよいが、底板の全面に均一に分布し、通気孔の総面積ができるだけ広くなる態様が好ましい。
【００１３】
請求項２の本発明に係る高吸水性マットは、請求項１のものにおいて、前記底板が格子状に形成され、格子の隙間が前記通気孔とされることを特徴とする。このようにすれば、通気孔の総面積が広大となるので、高吸水性タイルの底面からの放湿性が一層向上する。
【００１４】
請求項３の本発明に係る高吸水性マットは、請求項１又は２のものにおいて、前記高吸水性タイルが前記底板に対して着脱可能とされることを特徴とする。
【００１５】
請求項３の本発明によれば、高吸水性タイルを底板から分離させることにより、高吸水性タイルの裏面と支持板の底板との間も洗浄することができる。また、高吸水性タイルが破損等した場合に、破損等した高吸水性タイルのみを新しいものと取り換えることができる。
【００１６】
請求項４の本発明に係る高吸水性マットは、請求項１，２又は３のものにおいて、前記高吸水性タイルを前記底板に対して取り外し可能に固着するための固定具を備えることを特徴とする。この固定具は、高吸水性タイルとは別体のものであってもよいし、高吸水性タイルと一体のものであってもよい。
【００１７】
請求項５の本発明に係る高吸水性マットは、請求項４のものにおいて、前記固定具が前記高吸水性タイルに接触する頭部を有し、前記高吸水性タイルには前記頭部を受け入れ可能な頭部嵌合凹部が形成されることを特徴とする。
【００１８】
請求項５の本発明によれば、固定具を用いて高吸水性タイルを支持盤の底板に固着した状態において、固定具の頭部が高吸水性タイルの頭部嵌合凹部内に収容される。このため、高吸水性マットの上面からの不要な突出が避けられる。
【００１９】
前記固定具は、前記高吸水性タイルに形成されるタイル側固定具挿通孔に挿通された後に、前記支持盤に形成される固定具挿通孔（支持盤側固定具挿通孔）に挿通されることで、前記高吸水性タイルを前記支持盤に固定可能なものであっても良い。この態様も、請求項４，５の本発明の範囲内である。しかし、それとは異なる態様として、次のような構成とすることもできる。
【００２０】
すなわち、請求項６の本発明に係る高吸水性マットは、請求項４又は５のものにおいて、前記支持盤の外周枠に隣接する高吸水性タイルの隅部が前記外周枠に形成されるタイル保持片によって保持されるとともに、縦横に二枚ずつ並んだ四枚の高吸水性タイルの集合体の中央部に形成される集合隅部が前記固定具によって固定されることを特徴とする。
【００２１】
請求項６の本発明によれば、一つの固定具が高吸水性タイルの集合体に対して固定作用を及ぼすので、高吸水性タイルよりも少ない数の固定具で全ての高吸水性タイルを固定することができる。
【００２２】
前記固定具としては、ねじやボルトのほか、次に述べる固定ピンを採用することもできる。
【００２３】
請求項７の本発明に係る高吸水性マットは、請求項４，５又は６のものにおいて、前記固定具が、前記底板に形成されるピン挿通孔に圧入可能な弾性脚部を有し、該弾性脚部の弾性を利用して前記底板に着脱可能な固定ピンであることを特徴とする。
【００２４】
請求項７の本発明によれば、固定ピンを支持盤のピン挿通孔に圧入することにより、弾性脚部が弾性変形して固定ピンが底板に対して固着される。固定ピンは、弾性脚部の弾性を利用して底板から取り外すことができる。固定ピンを取り外すことによって高吸水性タイルの底面と支持盤の底板との間を洗浄することが可能となる。また、同様にして、破損等した高吸水性タイルのみを取り換えることができる。
【００２５】
請求項８の本発明に係る高吸水性マットは、請求項１乃至７のいずれかのものにおいて、隣り合う高吸水性タイル同士の間に隙間が形成されることを特徴とする。
【００２６】
請求項８の本発明によれば、高吸水性タイルに吸収された水分が前記隙間を介して高吸水性タイルの側面からも放出可能となる。よって、高吸水性タイルの放湿性がなお一層向上する。加えて、前記隙間を介して高吸水性タイルの側面からの吸水も可能となるので、高吸水性タイルの吸湿性も向上する。
【００２７】
請求項９の本発明に係る高吸水性マットは、請求項１乃至８のいずれかのものにおいて、前記支持盤の予め定められたタイル収容位置に前記高吸水性タイルを配置するための位置決め部材を有することを特徴とする。
【００２８】
請求項９の本発明によれば、位置決め部材によって高吸水性タイルを予め定められたタイル収容位置に正確かつ迅速に配置することができる。
【図面の簡単な説明】
【００２９】
【図１】本発明の実施の一形態に係る高吸水性マットの斜視図である。
【図２】図１の高吸水性マットを構成する高吸水性タイルの説明図であり、（ａ）は平面図、（ｂ）は正面図、（ｃ）は側面図である。
【図３】図１の高吸水性マットの一部から高吸水性タイルを取り外した状態の拡大斜視図である。
【図４】図１の高吸水性マットにおいて、支持盤に対して高吸水性タイルを固定するための固定ピンの説明図であり、（ａ）は平面図、（ｂ）は正面図、（ｃ）は固定ピンを受け入れるピン挿通孔の平面図である。
【図５】図４の固定ピンで高吸水性タイルを支持盤に固定した状態の平面図である。
【図６】図５のＡ−Ａ矢視断面図である。
【発明を実施するための形態】
【００３０】
以下、添付図面を参照して、本発明の実施の一形態について説明する。
【００３１】
図１に示すように、本発明の実施の一形態に係る高吸水性マット１は、高吸水性タイル２と、該高吸水性タイル２を複数枚並べて支持し得る支持盤３と、高吸水性タイル２を支持盤３に固定するための着脱可能な固定ピン４と、を備える。図１の高吸水性マット１は、一例として、縦に５枚、横に７枚、合計３５枚の高吸水性タイル２を備えているが、高吸水性タイル２の枚数はこれより多くても少なくてもよい。図１の高吸水性マット１は浴室の出口その他の水回りの床面に敷いて使用される。使用者が高吸水性マット１の上に乗ると、使用者の足裏等の水分が高吸水性タイル２で吸収される。
【００３２】
前記高吸水性タイル２は珪藻土を含んで形成される。前記特許文献１に記載されている通り、珪藻土とは、１３００万〜９００万年前に海、湖その他で浮遊していた植物性プランクトン（藻）の死骸が堆積し、長い年月を経て化石化したものであり、珪酸ガラス質を主成分とする。内外に通じる０．１〜０．２ミクロン程度の無数の細孔を有し、木炭に比べても数千倍になる微細で超多孔質な構造を持つため、吸湿性（吸水性）、吸着性、脱臭性、保温性、断熱性などの性能を持ち、さらには一度吸湿した水分を再び放出する「呼吸性（調湿性・吸放湿性）」という優れた特性を備える。
【００３３】
このため、珪藻土を含む高吸水性タイル２は、風呂場などにおける水分を充分に吸水でき、その表面が乾いた状態を維持して使用者の感触を心地よいものとすることができる。また、前記吸放湿性を備えるため、好天時に高吸水性マット１の天日干しを行い、あるいは高吸水性マット１を風に当てるなどにより、高吸水性タイル２の内部の水分を容易に放出させることにより長期間にわたって使用でき、しかもカビ、雑菌などの発生を抑えて衛生状態を継続できる。なお、天日干しに耐え得るように、高吸水性タイルには天日乾燥で劣化する材料は用いない。
【００３４】
図２に示すように、本実施の形態では、縦横の一辺の長さが６０ｍｍ程度と高吸水性タイル２が比較的小さく形成される。このため、高吸水性マット１上に使用者の体重を負荷しても高吸水性タイル２が割れ難く、しかも高吸水性タイル２の製造、加工上の取り扱いが容易である。図２（ｂ），（ｃ）からも明らかなように、高吸水性タイル２の上面は球面の一部状に盛り上がっており、使用者の足裏、特に土踏まず対して心地よい刺激を与えることができる。高吸水性タイル２の厚さは、例えば、最も薄い部分で７〜１０ｍｍ程度、中央の最も厚い部分で１３〜２０ｍｍ程度とされる。このため、必要充分な強度を有して割れ難く、充分な吸水量を確保できる。なお、高吸水性タイルの平面形状としては、長方形、正方形、三角形、その他の多角形のほか、円形や楕円形等、種々の形状を採用することができる。
【００３５】
図２において、平面視矩形状の高吸水性タイル２の四つの隅部は、同一形状且つ同一寸法の肉薄部２ａとされ、各肉薄部２ａの平坦な上面２ｂは、高吸水性タイル２の上面２ｃに対して一段低い位置にある。各肉薄部２ａ上には、図４を参照して後で詳細に説明する固定ピン４の頭部４ａが着座する。高吸水性タイル２の上面２ｃと各肉薄部２ａの平坦な上面２ｂとの間の段差は、前記固定ピン４の頭部４ａを受け入れ可能な頭部嵌合凹部２ｅを形成し、この頭部嵌合凹部２ｅの深さは、前記固定ピン４の頭部４ａの厚みと略同じである。このため、図６に示すように、固定ピン４による高吸水性タイル２の固定状態において、固定ピン４の頭部４ａの上面４ｂが高吸水性タイル２の上面２ｃと段差なく連続し、高吸水性マット１の上面からの不要な突出が避けられる。
【００３６】
なお、前記頭部嵌合凹部２ｅの深さは、前記固定ピン４の頭部４ａの厚みより深く形成されていてもよい。この場合にも、固定ピン４による高吸水性タイル２の固定状態において、固定ピン４の頭部４ａが高吸水性タイル２の頭部嵌合凹部２ｅ内に隠れる。このため、高吸水性マット１の上面からの不要な突出が避けられる。
【００３７】
図２（ａ）に示すように、各肉薄部２ａは、平面視で、高吸水性タイル２の角部２ｄを頂点とする直角二等辺三角形状に形成される。これは、固定ピン４の頭部４ａが上から見て略正方形に形成されることに対応させたものである。
【００３８】
次に、前記支持盤３について説明する。支持盤３は、図３に示すように、矩形フレーム状の外周枠５と、この外周枠５内の下部に形成される底板６と、を備える。この底板６上に高吸水性タイル２が配設される。支持盤３は、プラスチックを材料として全体が一体に形成される。但し、外周枠５と底板６とを別体に形成し、それらを接着剤で接着したり、ビス等の固着具を用いて一体化したりして支持盤３を形成することも可能である。
【００３９】
外周枠５の内面の上部には、互いに隣接する二枚の高吸水性タイル２，２の肉薄部２ａ，２ａを同時に押さえてこれらを抜け落ち不能に保持する庇状の隣接タイル保持片７が形成される。これらの隣接タイル保持片７は、固定ピン４の頭部４ａと協働して、支持盤３の外周枠５のすぐ内側の高吸水性タイル２を支持盤３に対して固定する。隣接タイル保持片７の厚みは、高吸水性タイル２の上面２ｃと各肉薄部２ａの平坦な上面２ｂとの間の段差の寸法と一致している。このため、隣接タイル保持片７による高吸水性タイル２の保持状態において、隣接タイル保持片７の上面が高吸水性タイル２の上面２ｃと段差なく連続する。
【００４０】
また、外周枠５の四隅のすぐ内側にはコーナータイル保持片８が庇状に形成される。このコーナータイル保持片８は、外周枠５の四隅のすぐ内側に配設される高吸水性タイル（コーナータイル）２の肉薄部２ａを押さえ、固定ピン４の頭部４ａと協働して、コーナータイル２を抜け落ち不能に保持する。コーナータイル保持片８の厚みは、高吸水性タイル２の上面２ｃと各肉薄部２ａの平坦な上面２ｂとの間の段差の寸法と一致している。このため、コーナータイル保持片８による高吸水性タイル２の保持状態において、コーナータイル保持片８の上面が高吸水性タイル２の上面２ｃと段差なく連続する。
【００４１】
底板６は、高吸水性タイル２を縦横に整然と並べた状態で支持する。底板６には多数の通気孔９が形成される。このため、高吸水性タイル２に吸収された水分が通気孔９を介して高吸水性タイル２の底面２ｅ（図２（ｂ），（ｃ）参照）からも放出可能となる。よって、高吸水性タイル２の放湿性が向上する。通気孔９があることで、高吸水性マット１を洗浄後に天日干しする場合にも速く完全な乾燥が得られる。このため、高吸水性タイル２の底面と支持盤３の底板６との間におけるカビや雑菌の繁殖を抑えることができる。
【００４２】
なお、通気孔９の態様はどのようなものであってもよいが、底板６の全面に均一に分布し、通気孔９の総面積ができるだけ広くなる態様が好ましい。図３の例では、底板６が格子状に形成され、格子の隙間が通気孔９とされている。このようにすれば、通気孔９の総面積が広大となるので、高吸水性タイル２の底面２ｆからの放湿性が一層向上する。
【００４３】
底板６上には、予め定められたタイル収容位置に高吸水性タイル２を配置するための位置決め部材として、突条１０が形成される。これらの突条１０が高吸水性タイル２の側面に当接することで、各高吸水性タイル２が底板６上の予め定められたタイル収容位置に保持される。このため、底板６上における複数の高吸水性タイル２の配設作業が正確かつ迅速に行える。支持盤３を構成する外周枠５の内面に隣接する高吸水性タイル２は、前記突条１０と前記外周枠５の内面５ａとによってタイル収容位置に保持される。なお、図３に示すように、突条１０のうち、外周枠５の四隅のすぐ内側のコーナータイル収容部１１を形成する突条１０ａ，１０ａは、コーナータイル保持片８に隣接する隣接タイル保持片７，７の下への高吸水性タイル２の挿入を容易にするために、外周枠５の外方へ向かって下方へと傾斜している。
【００４４】
前記突条１０は、高吸水性タイル２の位置決め作用を奏すると同時に、互いに隣接する高吸水性タイル２，２同士の間に隙間Ｓを形成するためのスペーサの作用をも奏する。前記隙間Ｓの幅は、例えば２ｍｍ程度とする。このようにすれば、高吸水性タイル２に吸収された水分が前記隙間Ｓを介して高吸水性タイル２の側面からも放出可能となる。よって、高吸水性タイル２の放湿性がなお一層向上する。加えて、前記隙間Ｓを介して高吸水性タイル２の側面からの吸水も可能となるので、高吸水性タイル２の吸湿性も向上する。
【００４５】
なお、前記突条１０に代えて、複数の突起を前記突条１０の延び方向に並べて設け、これらの突起を位置決め部材及びスペーサとすることもできる。
【００４６】
前記底板６には、固定ピン４を受け入れるピン挿通孔１２が貫通形成される。このピン挿通孔１２の形状は、固定ピン４の形状に対応した形状である。図３の例では、上から見て十文字状のピン挿通孔１２とされている。ピン挿通孔１２は、縦横に延びる突条１０の交差部分に形成される。
【００４７】
前記固定ピン４は、図４に示すように、上から見て略正方形の平板状の頭部４ａと、この頭部４ａの下面から下向きに延びる弾性脚部４ｃと、を備える。この弾性脚部４ｃによって、固定ピン４が支持盤３の底板６のピン挿通孔１２に対して圧入可能となる。弾性脚部４ｃには、弾性脚部４ｃの弾性を利用して解除操作可能な抜け止め部４ｄが形成される。固定ピン４の頭部４ａの平面形状は円形であってもよい。固定ピン４は、例えば全体がプラスチックで形成される。
【００４８】
図４の固定ピン４においては、頭部４ａに対して四本の弾性脚部４ｃが形成され、各弾性脚部４ｃの下部の外側に抜け止め部４ｄが形成される。支持盤３のピン挿通孔１２に固定ピン４を圧入すると、図６に示すように、抜け止め部４ｄが支持盤３の底板６の裏側に係止することで、固定ピン４の抜け落ちが阻止される。図４（ｂ）を固定ピン４の正面図とすると、固定ピン４の左右各側面図、背面図とも、正面図と同一に表れる。各抜け止め部４ｄの下方位置には、ピン挿通孔１２への圧入を可能とする傾斜案内面４ｅが形成される。本実施の形態では、固定ピン４の四本の弾性脚部４ｃに対応させて、前記ピン挿通孔１２が十文字状に形成される。
【００４９】
図５に示すように、本実施の形態では、縦横に二枚ずつ並んだ四枚の高吸水性タイル２の集合体の中央部に形成される集合隅部（肉薄部２ａの集合体）１３が、固定ピン４によって固定される。すなわち、一本の固定ピン４が高吸水性タイル２の集合体に対して固定作用を及ぼす。このため、高吸水性タイル２の総数よりも少ない数の固定ピン４で全ての高吸水性タイル２を支持盤３上に固定することができる。
【００５０】
次に、固定ピン４による高吸水性タイル２の固定方法について説明する。まず、支持盤３の全てのタイル収容位置に高吸水性タイル２を並べる。このとき、入れ易さの観点から、最初に四つのコーナータイル収容部１１に高吸水性タイル２を挿入し、次いで、支持盤３の外周枠５のすぐ内側のタイル収容位置に高吸水性タイル２を挿入し、その後に、残りのタイル収容位置に高吸水性タイル２を配置する。支持盤３の外周枠５のすぐ内側に配設される高吸水性タイル２は、外周枠５側の肉薄部２ａがコーナータイル保持片８と隣接タイル保持片７とで保持される。また、図５に示すように、支持盤３上で縦横に二枚ずつ並んだ四枚の高吸水性タイル２の集合体の中央部には、肉薄部２ａの集合による集合隅部１３が形成される。この集合隅部１３の中央部には、支持盤３の底板６に形成されたピン挿通孔１２が位置する。そこで、このピン挿通孔１２に固定ピン４の弾性脚部４ｃを圧入する。
【００５１】
図４に示すように、四本の弾性脚部４ｃをピン挿通孔１２に圧入すると、各弾性脚部１２の傾斜案内部４ｅがピン挿通孔１２の内面に押されて、各弾性脚部４ｃがピン挿通孔１２の内方へと弾性的に変形する。そして、図６に示すように、各弾性脚部４ｃの抜け止め部４ｄがピン挿通孔１２を通過すると、各弾性脚部４ｃの弾性によって各抜け止め部４ｄが支持盤３の底板６の裏面に対して係合する。これにより、固定ピン４が支持盤３に対して固定され、固定ピン４の頭部４ａによって四枚の高吸水性タイル２の集合隅部１３が支持盤３に対して固定される。支持盤３の底板６の裏側には、固定ピン４の弾性脚部４ｃの抜け止め部４ｄ以下の部分を収容する凹部１４が形成される。このため、固定ピン４の下端部が支持盤３の底板６の下面から突出することはない。なお、図６において、符号１５は、高吸水性マット１が載置される床面を示している。
【００５２】
固定ピン４は、必要に応じて支持盤３から取り外すことができる。固定ピン４の取り外しは、図６において、支持盤３の底板６の裏面の凹部１４内に図示しないねじ回しの先端部等を挿入し、弾性脚部４ｃの弾性を利用して底板６の裏面に対する抜け止め部４ｄの係合を解除操作することで簡単に行うことができる。このため、高吸水性タイル２が破損等した場合には、固定ピン４を取り外すことによって、破損等した高吸水性タイル２のみを簡単に取り換えることができる。また、高吸水性タイル２を支持盤３から取り外すことにより、高吸水性タイル２の底面２ｆや支持盤３の底板６の上面を洗浄することもできる。
【００５３】
なお、図１〜図６の実施の形態では、四枚の高吸水性タイル２の集合隅部１３を固定ピン４によって固定する方式について説明した。これに代わる別例として、高吸水性タイルの例えば中央部にタイル側ピン挿通孔を形成し、このタイル側ピン挿通孔を利用して固定ピンにて高吸水性タイルを支持盤に対して固定する方式を採用することもできる。この場合、固定ピンは、高吸水性タイルのタイル側ピン挿通孔に挿通された後に、支持盤に形成されるピン挿通孔（支持盤側ピン挿通孔）に圧入されることで、高吸水性タイルを支持盤に対して取り外し可能に固定する。この場合の固定ピンの具体的な構成は、図４のものと略同一とすることができ、高吸水性タイルについては、図２のものにおいて、四隅の頭部嵌合凹部２ｅに代えて、固定ピンの頭部を受け入れる頭部嵌合凹部を中央部に形成した高吸水性タイルを採用すればよい。なお、この場合の固定ピンは、高吸水性タイル２とは別体のものであってもよいし、高吸水性タイル２と一体に形成したものであってもよい。
【００５４】
但し、前記別例に比べて、図１〜図６の実施の形態の方が次の点で優位性がある。すなわち、図１〜図６の実施の形態によれば、一本の固定ピン４が高吸水性タイル２の集合体に対して固定作用を及ぼすので、高吸水性タイル２よりも少ない数の固定ピン４で全ての高吸水性タイル２を固定することができる。また、高吸水性タイル２にタイル側ピン挿通孔を形成する必要がないので、高吸水性タイル２が割れ難いという利点もある。
【００５５】
なお、前記固定ピン４は、高吸水性タイル２を支持盤３に対して着脱可能に取り付けるための固定具の一例である。固定具としては、固定ピン４のほか、頭部を有するねじやボルトを採用することもできる。固定具がねじの場合には、支持盤に固定具挿通孔として前記ねじを受け入れるねじ孔を形成しておけばよい。また、固定具がボルトの場合には、支持盤に固定具挿通孔としてボルト挿通孔を形成し、このボルト挿通孔から下方へと突出するボルト下端部にナットをねじ結合させるようにすればよい。固定具は、高吸水性タイルとは別体のものであってもよいし、高吸水性タイルと一体に形成したものであってもよい。
【符号の説明】
【００５６】
１    高吸水性マット
２    高吸水性タイル
２ｅ  頭部嵌合凹部
３    支持盤
４    固定ピン（固定具）
４ａ  固定ピンの頭部
４ｃ  弾性脚部
５    外周枠
６    底板
７    タイル保持片（隣接タイル保持片）
８    タイル保持片（コーナータイル保持片）
９    通気孔
１０  位置決め部材（突条）
１２  ピン挿通孔（固定具挿通孔）
１３  集合隅部
Ｓ    高吸水性タイル同士の間の隙間
【図１】
2019146886.tif 000003
【図２】
2019146886.tif 000004
【図３】
2019146886.tif 000005
【図４】
2019146886.tif 000006
【図５】
2019146886.tif 000007
【図６】
2019146886.tif 000008